(57)【要約】【課題】  小物で重量化する洗濯物からシーツ、毛布、タオルケット等の面積を占有する大きな洗濯物（長物）まで干すことができ、しかも不使用時にコンパクトで場所を取らず、携帯用としても利用できる便利なピンチ吊下装置を提供する。【解決手段】  引張・圧縮でピッチＰを可変可能とするコイル状線材１に、物干し用芯体２を差し通し、ピンチ３の摘み部３３またはピンチ３の吊持部材に前記線材１を差し通して必要数のピンチ３を移動可能且つ落下不能に位置決めさせると共に、前記コイル状線材１はその端部に摩擦抵抗を大きくする部材１１を被覆し、見掛けの直径を小さくするようにその端部を傾斜状に変形させて物干し用芯体２に対して係合させて移動不能に固定する。【選択図】  図１
2005052480.tif 000002
【特許請求の範囲】
【請求項１】
引張・圧縮でピッチを可変可能とするコイル状線材に、物干し用芯体を差し通し、ピンチの摘み部またはピンチの吊持部材に前記線材を差し通して必要数のピンチを移動可能且つ落下不能に位置決めさせてあることを特徴とするピンチ吊下装置。
【請求項２】
所要のピッチ間隔に調節後、コイル状線材の端部を前記物干し用芯体に解除可能に固定していることを特徴とする請求項１記載のピンチ吊下装置。
【請求項３】
前記コイル状線材は、見掛けの直径を小さくするようにその端部を傾斜状に変形させて物干し用芯体に対して係合させて固定されていることを特徴とする請求項２記載のピンチ吊下装置。
【請求項４】
前記端部が摩擦抵抗を大きくする部材で被覆されていることを特徴とする請求項３記載のピンチ吊下装置。
【請求項５】
隣設する端部同士を水平方向回転可能に連結する複数本の長尺体で物干し用芯体を構成し、各長尺体に引張・圧縮でピッチを可変可能とするコイル状線材を各々独立して緩く巻回し、ピンチの摘み部またはピンチの吊持部材に前記線材を差し通して必要数のピンチを移動可能且つ落下不能に位置決めし、前記物干し用芯体に吊り下げるための引掛け手段を備えていることを特徴とするピンチ吊下装置。
【発明の詳細な説明】
【技術分野】
【０００１】
本発明は、ピンチ吊下装置、更に詳しくはピンチの吊下間隔を自由に調節できる構造簡単なピンチ吊下装置に関するものである。
【背景技術】
【０００２】
従来、ピンチ吊下装置は、矩形状や円形状等の適宜平面視形状を呈する物干しから定間隔をおいてピンチを吊り下げている（例えば、特許文献１参照）。
【０００３】
しかしながら、従来のピンチ吊下装置はピンチの位置を自由に変更できない。そのため、小物で重量がある洗濯物から広めで軽量な洗濯物を干す時等にその状況に応じた丁度良い位置にピンチを配置できない問題があった。
しかも、シーツ、毛布、タオルケット等の面積を占有する非常に大きな洗濯物（長物）まで干すことができるように工夫されてもいなかった。
【特許文献１】実開平６−６６５９２号公報（第１３頁、図１）
【発明の開示】
【発明が解決しようとする課題】
【０００４】
本発明が上記従来事情に鑑みてなされたものでは、その目的とする処は、ピンチを落下させることなく移動可能で且つ位置決め可能にして、小物で重量化する洗濯物からシーツ、毛布、タオルケット等の面積を占有する大きな洗濯物（長物）まで安定して干すことができ、しかも不使用時にコンパクトで場所を取らず、携帯用としても利用できる便利なピンチ吊下装置を提供することにある。
【課題を解決するための手段】
【０００５】
前記課題を解決するために講じた技術的手段は、引張・圧縮でピッチを可変可能とするコイル状線材に、物干し用芯体を差し通し、ピンチの摘み部またはピンチの吊持部材に前記線材を差し通して必要数のピンチを移動可能且つ落下不能に位置決めさせてあることを特徴とするピンチ吊下装置（請求項１）。
この手段では、例えば物干し竿、物干し綱等の棒状体や線状体からなる物干し用芯体をガイドにしてコイル状線材を引っ張り、長さを可変することによって、同線材のピッチ間隔を任意に変更してピンチ間隔を、例えば小物を、場所を取ることなく多数干す形態から、大きな面積を占有するシーツや毛布、タオルケット等の長物を干す形態まで可変する。
そのコイル状線材は、ステンレス製等の防錆性の線材を使用するのが好適であり、線径を１ｍｍ程度のものであり、引き伸ばすことによって若干戻りはあるものの塑性変形して、その引き伸ばし長さを保持し、圧縮することによって、若干の戻りはあるものの、塑性変形してその圧縮長さを保持する。
また、ピンチは、コイル状線材をガイドにして移動させることによって、干す洗濯物の重量バランスに対応して、重い部分と対応してピンチを集中させたり、軽い部分と対応してピンチを少なめに配分する等、その場でのピンチ配置位置を変更することを可能にする。
更に、コイル状線材は、圧縮で縮長されて、不使用にコンパクト化する。
また、コイル状線材のピッチを大きくして、厚手の洗濯物をそのピンチで干せるようにしたり、ピンチを小さくして、薄手の洗濯物を干せるようにする。
【０００６】
そして、所要のピッチ間隔に調節後、コイル状線材の端部を前記物干し用芯体に解除可能に固定していると、風等の影響でのコイル状線材自体の移動を防止する（請求項２）。
【０００７】
また、コイル状線材は、見掛けの直径を小さくするようにその端部を傾斜状に変形させて物干し用芯体に対して係合させて固定されていると、端部を傾斜させるだけで、物干し用芯体に係合してコイル状線材自体の移動を防止することができる（請求項３）。
【０００８】
そして、コイル状線材の端部が摩擦抵抗を大きくする部材で被覆されていると、物干し用芯体との係合力が増強され、移動を防止する上で効果大となる（請求項４）。
【０００９】
また、隣設する端部同士を水平方向回転可能に連結する複数本の長尺体で物干し用芯体を構成し、各長尺体に引張・圧縮でピッチを可変可能とするコイル状線材を各々独立して緩く巻回し、ピンチの摘み部またはピンチの吊持部材に前記線材を差し通して必要数のピンチを移動可能且つ落下不能に位置決めし、前記物干し用芯体に吊り下げるための引掛け手段を備えている構成を採用する場合も好適なものである（請求項５）。
【００１０】
上記手段では、物干し竿や物干し綱等に引掛け手段を引っ掛けて物干し用芯体を吊り下げる。そしてこの物干し用芯体を構成する長尺体を水平方向に回動させて長尺体相互の挟角を小さく設定した状態で２つ折りしたシーツや毛布、タオルケット等の長物をピンチで吊ることによって、物干しスペースを占有することなくその長物が干せる。また、物干しスペースに余裕がある場合には、引掛け手段を物干し竿や物干し綱等に沿って移動させて、その物干し用芯体を直線状にすることによって、その長物を広げて干すことも可能にする。
【発明の効果】
【００１１】
本発明は以上のように引張・圧縮でピッチを可変可能とするコイル状線材に、物干し用芯体を差し通し、ピンチの摘み部またはピンチの吊持部材に前記線材を差し通して必要数のピンチを移動可能且つ落下不能に位置決めした構成であるので、物干し用芯体をガイドにしてコイル状線材を任意量引き伸ばしてピッチ間隔を変化させ、コイル状線材をガイドにしてピンチを任意位置に移動させて、ピンチをその移動位置に位置決めする。
そのため、小物で重量化する洗濯物を数多く安定して干したり、バスタオルやそれよりも大きな面積を占有するシーツ、毛布、タオルケット等を広げた状態で安定して干せるように洗濯物の大きさ、重量に合わせて自由にピンチを移動させ位置決めして、干し対象となる洗濯物にピンチが対応する新規なピンチ吊下装置を提供することができる。
しかも、ピンチの保持手段が、コイル状線材であるので、大掛かりな構造ではなく、構造簡単であり、コストの低減を図り、安価に提供することができる。
また、所要のピッチ間隔に変更後、コイル状線材の端部を物干し用芯体に解除可能に固定しているので、風等の外的要因でコイル状線材が移動せず、安定した干し状態を持続できる。
その上、物干し用芯体への固定を、コイル状線材の端部を傾斜状に変形させて見掛けの直径を小さくすることで行なっている場合には、格別の固定手段を別個に付設する必要がなく、構造簡単である。
また、コイル状線材は、固定を解除して、圧縮でコンパクトな形態まで縮むので、不使用時に場所を取らず、物干し竿、物干し綱の物干し手段の本来の使用勝手を損うこともない。
その上、コイル状線材は持ち運び可能、即ち携帯できるので、ロープ等を物干し用芯体としてキャンプ等のアウトドアでも使用可能で、非常に便利である。
しかも、その端部が摩擦抵抗を大きくする部材で被覆されている場合には、物干し用芯体との係合力がアップして、移動不能に保持し、物干し状態を、より安定させることができる。
また、隣設する端部同士を水平方向回転可能に連結する複数本の長尺体で物干し用芯体を構成し、各長尺体に引張・圧縮でピッチを可変可能とするコイル状線材を各々独立して緩く巻回し、ピンチの摘み部またはピンチの吊持部材に前記線材を差し通して必要数のピンチを移動可能且つ落下不能に位置決めし、前記物干し用芯体に吊り下げるための引掛け手段を備えた場合には、長尺体相互で形成される挟角を任意な小角になるようにジグザグ状に折り畳んだコンパクトな状態から長尺体が直線状に伸長する棒状体まで可変可能であるので場所を取らずに大きな面積を占有するシーツや毛布等を干すことができるし、そのシーツや毛布等の乾きを早くするために従来と同様に広く延して干すこともできる。
【発明を実施するための最良の形態】
【００１２】
ピンチ吊下装置は、引張・圧縮でピッチを可変可能とするコイル状線材と、そのコイル状線材の同軸上空間に差し通す物干し用芯体と、コイル状線材を差し通して移動可能且つ落下不能に吊下されて、位置決めされる必要数のピンチからなっている。
【００１３】
前記コイル状線材は、その端部である遊端をシリコンゴムからなる摩擦抵抗を大きくする部材で被覆して、傾斜可能として、見掛けの直径を可変可能にしている。
【００１４】
物干し用芯体は、物干し竿、物干し綱等であり、コイル状線材の同軸上空間を差し通して、引張・圧縮される際のコイル状線材のガイド部材として使用可能になっている。
【００１５】
そして、物干し用芯体を芯材として、コイル状線材を洗濯物の面積に応じた長さに引っ張って変形させてピッチを可変する。そして、コイル状線材をガイドとして洗濯物の重量バランス等に対応して移動させて、洗濯物をピンチで挟んで安定して干す。
【実施例１】
【００１６】
図１〜図５は、本発明ピンチ吊下装置の第１の実施の形態を示し、符号Ａがそのピンチ吊下装置である。
このピンチ吊持装置Ａは、コイル状線材１、そのコイル状線材１を支持する物干し用芯体２、前記コイル状線材１で支持される必要数のピンチ３からなり、ピンチ３は、本実施の形態では、１本の線材で折曲成形したものを図示している。
【００１７】
前記ピンチ３は、ステンレス製の線材を巻いてコイル状に形成されたコイルバネ部１３の両端の線材を下方に略Ｕ字形に折曲して一対の挟持部２３、２３を形成し、その挟持部２３、２３先端をコイルバネ部１３の上方まで延設し、そこで長孔形状や輪形状に折り曲げて一対の摘み部３３、３３を形成して、一対の摘み部３３、３３をコイルバネ部１３の弾撥力に抗して摘むことによって、一対の挟持部２３、２３による挟持が解除されるように形成され、摘み部３３、３３の一方にコイル状線材１を差し通して、コイル状線材１をガイドにして落下不能で且つ移動可能にしてある。
【００１８】
前記コイル状線材１は、線径を１ｍｍ程度とするステンレス製の線材を、小さなピッチＰをもってコイル状に巻回して所要長さをもって成形されており、物干し用芯体２である物干し竿、物干し綱等よりも一回り大きな直径を有し、両端の遊端をシリコンゴム等の摩擦抵抗を大きくする部材１１で被覆してあり、圧縮状態から人為的に引っ張ることによってピッチＰが大きくなって全長が伸張し、逆に両端から圧縮力を加えることよってピッチＰが小さくなって全長が短くなるようになっている。
【００１９】
以上のように構成されているピンチ吊下装置Ａは、物干し竿、物干し綱等の物干し用芯材２をコイル状線材１の同軸上空間に差し通した後、洗濯物の長さに応じて、コイル状線材１を前記圧縮状態から引張り、所要するピッチＰで且つ所要な引っ張り長さまで、その長さを可変させる（図１や図４）。そして、両端を傾斜させて見掛けの直径Ｌを小さくして摩擦抵抗を大きくする部材１１を物干し用芯材２に面係合して移動不能に固定し、ピンチ３を洗濯物の重量バランス等に応じて適宜位置までコイル状線材１をガイドとして移動させて、洗濯物を挟持する（図２、図３）。
これによって、例えば小物を、場所を取ることなく多数干したり、大きな面積を占有するシーツや毛布、タオルケット等の長物を干すことが可能な様々なピンチ吊下状態を構成できる。
また、圧縮力を加えることによって、図５に示すコンパクトな状態まで縮長する。
そして、ピンチ３は、吊下位置で重みによって自ずと位置決めされる。
【実施例２】
【００２０】
次に、図６及び図７は、本発明ピンチ吊下装置の第２の実施の形態を示し、符号Ａがそのピンチ吊下装置であり、複数本の長尺体１２…で構成された物干し芯体２と、その各長尺体１２…に緩く巻回されるコイル状線材１と、そのコイル状線材１で支持される必要数のピンチ３と、物干し用芯体２を吊下げるための引掛け手段４とからなっている。
【００２１】
この物干し芯体２は、長さを１００ｃｍ〜２００ｃｍとするステンレス製の長尺体１２…の端部同士を水平方向回転可能に連結して、直線状の１本の棒状体に伸長する形態と、長尺体１２相互間の挟角が可変するジグザグ状に折り畳まれる形態まで変化するようになっている。
従って、この物干し芯体２は、不使用時に隣設する長尺体１２が接近するコンパクトな状態まで場所を取らないように折り畳むことができる。
【００２２】
また、各長尺体１２に巻回されるコイル状線材１は、前記実施の形態と同様に所望圧縮長さの状態から人為的に引っ張ることによってピッチと共に全長を変更するようになっており、前記実施の形態とは異にして、端部は素地のままにさせてある。
無論、この実施の形態においても、前記実施の形態と同様にシリコンゴム等の摩擦抵抗を大きくする部材１１で被覆してあっても良いものである。
【００２３】
コイル状線材１は、前記実施の形態と同様に線径を１ｍｍ程度とするステンレス製の線材を、小ピッチをもってコイル状に巻回して所要長さをもって成形され、長尺体１２である棒状体よりも一回り大きな直径になっている。
【００２４】
前記各コイル状線材１は、各長尺体１２を同軸上空間に差し通した状態で両端から引っ張って、ピッチ及び全長を変化させた後、その両端を溶接等の適宜手段で各長尺体１２の端部域各々に固定させてある。
尚、両端の内、一端側は無固定であっても良いものである。
【００２５】
また、前記所望する長尺体１２には、鎖部材１４を介して引っ掛けフックからなる引っ掛け手段４を設けて、例えば物干し竿や物干し等に引っ掛け可能になっている。
前記鎖部材１４は、双方共に各長尺体１２においてコイル状線材１の溶接箇所よりも端部側に固定されている。
尚、無固定の場合は、長尺体１２における逆側において前記と同等位置に鎖部材１４の端部を固定する。
【００２６】
以上のように構成されている第２の実施の形態のピンチ吊下装置にあっては、物干し竿や物干し綱等に引っ掛け手段４で引っ掛けて、長尺体１２相互で形成される挟角を任意な小角になるようにジグザグ状に折り畳んだコンパクトな状態で、大きな面積の布製シーツや毛布等を二枚折りにして各長尺体１２のピンチ３で挟持させて吊り下げて、小さな占有スペースで干せるようにしたり、その状態から各引っ掛けフック４２を物干し竿や物干し綱等上を移動させて物干し用芯体２を直線状の１本の棒状体にして布製のシーツや毛布等を広げた乾き易い状態で乾かすことができる。
従って、狭い間口を利用して布製のシーツや毛布等を干すこともできるし、乾き易くなるようにそのシーツや毛布等を延して干すこともできるし、取り込む作業も楽である。
また、各長尺体１２ごとで、ピンチ３の位置を変更して、小物から細物までの洗濯物を安定して干すに適した位置に各コイル状線材１をガイドにして自由に移動させて位置決めすることができる。
【００２７】
尚、物干し用芯体２に対して複数本のコイル状線材１を直線状に並列して使用すること自由なものである。
【図面の簡単な説明】
【００２８】
【図１】第１の実施の形態のピンチ吊下装置の使用状態を示す正面図。
【図２】同状態の端部の状態を示す平面図で、拡大して示す。
【図３】見掛けの直径を説明する側面図。
【図４】ピッチ間隔を狭めた時の使用状態を示す正面図。
【図５】使用前（収納時）の状態を示す正面図。
【図６】第２の実施の形態のピンチ吊下装置の使用状態を示す斜視図。
【図７】同図６の要部の斜視図で拡大して示す。
【符号の説明】
【００２９】
１：コイル状線材                        ２：物干し用芯体
３：ピンチ                            ３３：摘み部
１１：摩擦抵抗を大きくする部材          １２：長尺体
４：引掛け手段                          Ａ：ピンチ吊下装置
Ｌ：見掛けの直径
【図１】
2005052480.tif 000003
【図２】
2005052480.tif 000004
【図３】
2005052480.tif 000005
【図４】
2005052480.tif 000006
【図５】
2005052480.tif 000007
【図６】
2005052480.tif 000008
【図７】
2005052480.tif 000009